(57)【特許請求の範囲】
【請求項１】
移動機とネットワークとを含む情報発信システムにおいて、
前記移動機は、
発信情報を作成する手段と、
前記発信情報を記憶する手段とを備え、
前記ネットワークは、
前記発信情報を記録する手段を備え、
前記発信情報の閲覧の要求に対して、前記移動機が接続できる場合には前記ネットワークを介して前記移動機に記憶された前記発信情報を前記閲覧の要求元に送信し、前記移動機が接続できない場合には前記ネットワークに記録された前記発信情報を前記閲覧の要求元に送信することを特徴とする情報発信システム。
【請求項２】
移動機とネットワークとを用いた情報発信方法において、
前記移動機が、発信情報を作成するステップと、
前記移動機が、前記発信情報を記憶するステップと、
前記ネットワークが、前記発信情報を記録するステップと、
前記発信情報の閲覧の要求に対して、前記移動機が接続できる場合には前記移動機が前記ネットワークを介して前記移動機に記憶された前記発信情報を前記閲覧の要求元に送信し、前記移動機が接続できない場合には前記ネットワークが前記ネットワークに記録された前記発信情報を前記閲覧の要求元に送信するステップと
を備えることを特徴とする情報発信方法。
【請求項３】
情報発信システムのネットワークにおいて、
移動機が作成し記憶した発信情報の閲覧の要求に対して、前記移動機を特定する手段と、
前記移動機に対して前記発信情報を要求する手段と、
前記移動機から前記発信情報を受信する手段と、
前記発信情報を前記閲覧の要求元に送信する手段と、
前記発信情報を自ネットワークに記録する手段とを備え、
前記発信情報の閲覧の要求に対して前記移動機が接続できない場合には、自ネットワークに記録された前記発信情報を前記閲覧の要求元に送信することを特徴とするネットワーク。
【請求項４】
情報発信システムのネットワークにおける情報発信方法であって、
移動機が作成し記憶した発信情報の閲覧の要求に対して、前記移動機を特定するステップと、
前記移動機に対して前記発信情報を要求するステップと、
前記移動機から前記発信情報を受信するステップと、
前記発信情報を前記閲覧の要求元に送信するステップと、
前記発信情報を前記ネットワークに記録するステップとを備え、
前記発信情報の閲覧の要求に対して前記移動機が接続できない場合には、前記ネットワークに記録された前記発信情報を前記閲覧の要求元に送信することを特徴とする情報発信方法。
【発明の詳細な説明】
【０００１】
【発明の属する技術分野】
本発明は、情報発信システムおよび移動機ならびに情報発信方法に関し、特に、移動機が発信情報を作成し、記憶することができる情報発信システムおよび移動機ならびに情報発信方法に関する。
【０００２】
【従来の技術】
従来、移動機からホームページのような情報発信をしようとした場合には、情報をネットワーク上にある別のサーバに情報を蓄積しておかなければならなかった。
【０００３】
【発明が解決しようとする課題】
しかしながら、情報更新をするためにサーバと呼を張る必要があるので、移動機が受発信圏外にある場合は情報を更新できないという問題点がある。
【０００４】
また、情報更新はネットワーク経由なので、時間がかかるという問題点がある。
【０００５】
本発明の目的は、上記問題点に鑑み、情報更新する際に呼を張る必要がなく、移動機がたとえ受発信圏外にあってもいつでも気軽に情報更新をできる情報発信システムおよび移動機ならびに情報発信方法を提供することにある。
【０００６】
【課題を解決するための手段】
このような目的を達成するために、請求項１に記載の発明は、移動機とネットワークとを含む情報発信システムにおいて、前記移動機は、発信情報を作成する手段と、前記発信情報を記憶する手段とを備え、前記ネットワークは、前記発信情報を記録する手段を備え、前記発信情報の閲覧の要求に対して、前記移動機が接続できる場合には前記ネットワークを介して前記移動機に記憶された前記発信情報を前記閲覧の要求元に送信し、前記移動機が接続できない場合には前記ネットワークに記録された前記発信情報を前記閲覧の要求元に送信することを特徴とする。
【０００７】
請求項２に記載の発明は、移動機とネットワークとを用いた情報発信方法において、前記移動機が、発信情報を作成するステップと、前記移動機が、前記発信情報を記憶するステップと、前記ネットワークが、前記発信情報を記録するステップと、前記発信情報の閲覧の要求に対して、前記移動機が接続できる場合には前記移動機が前記ネットワークを介して前記移動機に記憶された前記発信情報を前記閲覧の要求元に送信し、前記移動機が接続できない場合には前記ネットワークが前記ネットワークに記録された前記発信情報を前記閲覧の要求元に送信するステップとを備えることを特徴とする。
【０００８】
請求項３に記載の発明は、情報発信システムのネットワークにおいて、移動機が作成し記憶した発信情報の閲覧の要求に対して、前記移動機を特定する手段と、前記移動機に対して前記発信情報を要求する手段と、前記移動機から前記発信情報を受信する手段と、前記発信情報を前記閲覧の要求元に送信する手段と、前記発信情報を自ネットワークに記録する手段とを備え、前記発信情報の閲覧の要求に対して前記移動機が接続できない場合には、自ネットワークに記録された前記発信情報を前記閲覧の要求元に送信することを特徴とする。
【０００９】
請求項４に記載の発明は、情報発信システムのネットワークにおける情報発信方法であって、移動機が作成し記憶した発信情報の閲覧の要求に対して、前記移動機を特定するステップと、前記移動機に対して前記発信情報を要求するステップと、前記移動機から前記発信情報を受信するステップと、前記発信情報を前記閲覧の要求元に送信するステップと、前記発信情報を前記ネットワークに記録するステップとを備え、前記発信情報の閲覧の要求に対して前記移動機が接続できない場合には、前記ネットワークに記録された前記発信情報を前記閲覧の要求元に送信することを特徴とする。
【００２４】
以上の構成によれば、情報更新する際に呼を張る必要がなく、移動機がたとえ受発信圏外にあってもいつでも気軽に情報更新をできる情報発信システムおよび移動機ならびに情報発信方法を提供することができる。
【００２５】
【発明の実施の形態】
以下、図面を参照しながら、本発明の実施形態について詳細に説明する。
【００２６】
図１は、本発明が適用される情報発信システムのシステム構成の一例を示す図であり、本システムの構成のうち本発明に関係する部分のみを概念的に示している。
【００２７】
本発明の情報発信システムは、少なくとも、情報発信側移動機１００と、情報閲覧側移動機３００と、情報閲覧側インターネット機器４００と、これらを相互に接続する機能を有するネットワーク２００とから構成される。
【００２８】
情報発信側移動機１００は、情報を入力する機能と、情報を蓄積する機能と、無線の発信および受信機能と、要求を受け付けて処理する機能を有する。ここで、発信する情報としては、例えば、１）位置情報、２）文字・テキスト、３）音・音楽、４）画像・映像などを用いる。
【００２９】
ネットワーク２００は、無線受信および発信機能と、要求された移動機を特定する機能と、要求を受け付けて処理する機能とを有し、例えば、インターネットや、イントラネットや、ＬＡＮ（有線／無線の双方を含む）や、ＶＡＮや、公衆電話網（アナログ／デジタルの双方を含む）や、専用回線網（アナログ／デジタルの双方を含む）や、ＣＡＴＶ網や、ＩＭＴ２０００方式、ＧＳＭ方式、ＰＤＣ／ＰＤＣ―Ｐ方式等の携帯回線交換網／携帯パケット交換網や、無線呼出網や、Ｂｌｕｅｔｏｏｔｈ等の局所無線網や、ＰＨＳ網や、衛星通信網等のうちいずれかを含んでもよい。
【００３０】
情報閲覧側移動機３００および情報閲覧側インターネット機器４００は、既知のパーソナルコンピュータ、ワークステーション、ＰＨＳ端末、携帯端末、移動体通信端末またはＰＤＡ等の情報処理端末等の情報処理装置にプリンタやディスプレイやイメージスキャナ等の周辺装置を必要に応じて接続し、該情報処理装置にウェブ情報のブラウジングを実現させるソフトウェア（プログラム、データ等を含む）を実装することにより実現してもよい。特に、携帯端末は、電子メール機能やインターネットへのアクセス機能を有する端末であってもよい（例えば、株式会社エヌ・ティ・ティ・ドコモ（会社名）が提供するｉモード（サービス名）端末等）。
【００３１】
図２は、図１に示す情報発信側移動機１００の機能ブロックの一例を示す図であり、情報発信側移動機１００の機能のうち本発明に関係する部分のみを概念的に示している。
【００３２】
情報発信側移動機１００は、少なくとも、全体を統括する演算部１０２と、無線電波を発信する無線発信部１０４と、無線電波を受信する無線受信部１０６と、テンキー等の操作ボタンや外部端末から情報を入力する情報入力部１０８と、情報を記憶する情報記憶部１１０とから構成される。
【００３３】
情報発信側移動機１００のユーザは、ホームページ等の情報を情報入力部１０８を用いて作成すると、該情報は情報記憶部１１０に記憶される。また、外部の端末（情報閲覧側移動機３００等）から情報の閲覧要求を無線受信部１０６において受信すると、情報記憶部１１０に記憶された情報を無線発信部１０４を介して要求元に送信する。
【００３４】
図３は、図１に示すネットワーク２００の機能ブロックの一例を示す図であり、ネットワーク２００の機能のうち本発明に関係する部分のみを概念的に示している。なお、図３においては、既存のＰＤＣ−Ｐ網が、ｉモードサーバ（ＧＲＩＭＭ）を介してインターネットに接続されている場合を一例に説明する。
【００３５】
ネットワーク２００は、インターネットと、ＰＤＣ−Ｐ網の構成部分であるＧＲＩＭＭ２０２、関門交換局（Ｍ−ＰＧＷ）２０４、交換機２０６および基地局２０８と、ドメインネームサーバ２５０とから構成される。
【００３６】
ここで、ドメインネームサーバ２５０は、ＧＲＩＭＭ２０２およびＭ−ＰＧＷ２０４からの問い合わせに応答して、要求ＵＲＬから移動機（ＩＰアドレス、機体番号、電話番号など）を特定する機能を有する。情報閲覧側移動機３００から閲覧要求がある場合には、Ｍ−ＰＧＷ２０４から移動機を特定し、また、情報閲覧側インターネット機器４００から閲覧要求がある場合には、ＧＲＩＭＭ２０２から移動機を特定する。
【００３７】
次に、このように構成された本実施の形態における情報発信システムの動作の一例について、以下に図４を参照して詳細に説明する。
【００３８】
図４は、本発明が適用される情報発信システムの通信シーケンスの一例を示す図であり、通信シーケンスのうち本発明に関係する部分のみを概念的に示している。
【００３９】
まず、情報閲覧側移動機３００または情報閲覧側インターネット機器４００から、ネットワーク２００に対して情報発信側移動機１００が記録するホームページ等の情報を要求すると（ステップＳ４０２）、ＧＲＩＭＭ２０２はドメインネームサーバ２５０に対してＵＲＬから移動機を検索することを依頼する（ステップＳ４０４）。
【００４０】
ついで、ドメインネームサーバ２５０において、ネットワーク２００内の移動機であると判断した場合には、移動機の情報（ＩＰアドレス、機体番号、電話番号など）をＧＲＩＭＭ２０２に返却する（ステップＳ４０８）。ネットワーク２００内の移動機ではないと判断した場合には、エラー送信をＧＲＩＭＭ２０２に対して行い（ステップＳ４２２）、ＧＲＩＭＭ２０２は、要求元の情報閲覧側移動機３００または情報閲覧側インターネット機器４００に対してエラー送信を行う（ステップＳ４２４）。
【００４１】
ついで、ＧＲＩＭＭ２０２は、Ｍ−ＰＧＷ２０４に対して情報要求を行い（ステップＳ４１０）、Ｍ−ＰＧＷ２０４は、情報発信側移動機１００に対して情報要求を行う（ステップＳ４１２）。
【００４２】
ついで、情報発信側移動機１００において、発信を許可する場合には（ステップＳ４１９）、Ｍ−ＰＧＷ２０４に対して情報を送信し（ステップＳ４１６）、Ｍ−ＰＧＷ２０４は、ＧＲＩＭＭ２０２に情報を送信し（ステップＳ４１８）、ＧＲＩＭＭ２０２は、要求元の情報閲覧側移動機３００または情報閲覧側インターネット機器４００に対して情報送信を行う（ステップＳ４２０）。一方、情報発信側移動機１００において、発信を許可しない場合には（ステップＳ４１９）、エラー送信を行う（ステップＳ４２６〜ステップＳ４３０）。
【００４３】
次に、本発明の情報発信システムを用いた情報発信サービスのサービスイメージの一例を以下に説明する。
【００４４】
（１）サービスイメージ１
図５は、本発明の情報発信システムを用いた情報発信サービスのサービスイメージ１の概要を示す図である。
【００４５】
情報閲覧側移動機３００が情報発信側移動機１００の情報を閲覧する場合において、まず最初に、情報閲覧側移動機３００は、情報発信側移動機１００を特定するＵＲＬをネットワーク２００へ向けて発信し、情報を要求する。ネットワーク２００は要求にあるＵＲＬより情報発信側移動機１００を特定し、情報を情報発信側移動機１００へ要求する。情報発信側移動機１００では、予め情報発信側移動機１００内部に蓄積しておいた情報を、ネットワークの要求に応えてＨＴＭＬの形式等で発信し、その情報はネットワークが中継して情報閲覧側移動機３００へ送られる。情報閲覧側移動機３００はそのＨＴＭＬ形式の情報を一般のホームページと同様に表示する。
【００４６】
図５に示すように、情報発信側移動機１００は、内蔵するソフトウェア等によりメールと同様にホームページを作成することができる。なお、テキストの他に画像、音声情報、ＧＰＳ等から得られた位置情報等を挿入してもよい。また、ＨＴＭＬ化は情報発信側移動機１００の内部で実行される。
【００４７】
これにより、情報更新する際に呼を張る必要がなくなり、移動機がたとえ受発信圏外にあっても、いつでも気軽に情報更新をできるようになる。また、処理がローカルで閉じているので、更新作業に時間のロスがない。
【００４８】
（２）サービスイメージ２
図６は、本発明の情報発信システムを用いた情報発信サービスのサービスイメージ２の概要を示す図である。
【００４９】
サービスイメージ１と同様に、ネットワーク２００から情報発信側移動機１００への要求までを行い、情報発信側移動機１００では、蓄積しておいた情報を、ＨＴＭＬではなく必要最小限の情報要素（文字、画像、音、位置情報など）のみを送信し、ＨＴＭＬへの加工はネットワーク２００で行い、ネットワーク２００から情報閲覧側移動機３００へＨＴＭＬ情報が送信される。
【００５０】
図６に示すように、情報発信側移動機１００は、内蔵するソフトウェア等によりホームページを作成するが、メニュー選択とコメントの記入のみしか行わない。なお、テキストの他に画像や音声情報も挿入してもよい。かかる基本構成をネットワーク２００に送信し、ネットワーク２００のいずれかのノードで基本構成をＨＴＭＬ化してホームページ情報に再構成し、情報閲覧側移動機３００に送信する。
【００５１】
これにより、情報更新する際に呼を張る必要がなくなり、移動機がたとえ受発信圏外にあっても、いつでも気軽に情報更新をできるようになる。また、処理がローカルで閉じているので、更新作業に時間のロスがない。
【００５２】
（３）サービスイメージ３
図７は、本発明の情報発信システムを用いた情報発信サービスのサービスイメージ３の概要を示す図である。
【００５３】
図７に示すように、情報発信側移動機１００は、内蔵するソフトウェア等によりホームページを作成するが、予めＰＣ等で作成したホームページの定型文の選択とコメントの記入のみしか行わない。なお、テキストの他に画像、音声情報、ＧＰＳ等から得られた位置情報等を挿入してもよい。かかる基本構成をネットワーク２００に送信し、ネットワーク２００のいずれかのノードで基本構成をＨＴＭＬ化してホームページ情報に再構成し、情報閲覧側移動機３００に送信する。
【００５４】
これにより、情報更新する際に呼を張る必要がなくなり、移動機がたとえ受発信圏外にあっても、いつでも気軽に情報更新をできるようになる。また、ＰＣから更新する場合、ネットワークにつなげなくてもＰＣと移動機をつなげるだけでホームページを更新できる。
【００５５】
（位置情報等の追加について）
また、情報発信側移動機１００において、ネットワーク２００から送信されるテキスト、音声、画像、情報発信側移動機１００の位置などの追加情報を受信し、受信した追加情報を基に自動的に発信情報を更新する機能を移動機に持たせてもよい。これにより、ユーザが入力しなくてもリアルタイムの情報発信側移動機１００の情報を発信することができる。
【００５６】
また、情報発信側移動機１００が圏外にある場合には、情報発信側移動機１００内に記憶された情報のミラーサイト機能をネットワーク２００に持たせて、代替情報を送信してもよい。さらに、情報発信側移動機１００が、圏外から圏内に入った時点などの契機で、発信情報をネットワーク２００へ自動的に送信し、ネットワーク２００側に記憶させてもよい。
【００５７】
（他の実施の形態）
上述した実施の形態においては、ホームページ情報を発信する場合を一例に説明したが、本発明はこの場合に限定されるものではなく、他の実施の形態においては、移動機のメモリに記憶されたスケジュールや電話番号やメール等を発信してもよい。
【００５８】
また、上述した実施の形態においては、ＨＴＭＬを用いる場合を一例に説明したが、本発明はこの場合に限定されるものではなく、他の記述言語のいずれの場合においても実施することができることは当業者にとって自明である。
【００５９】
また、上述した実施の形態においては、各実施形態を独立に実現する場合を一例に説明したが、本発明はこの場合に限定されるものではなく、他の実施の形態においては、各実施形態を適宜組み合わせて実施することができることは当業者にとって自明である。
【００６０】
また、上述した実施の形態においては、ＧＲＩＭＭ２０２とＭ−ＰＧＷ２０４とドメインネームサーバ２５０とを独立の構成として実現する場合を一例に説明したが、本発明はこの場合に限定されるものではなく、他の実施の形態においては、これらのうちのいずれかを適宜相互に組み合わせて構成し実施することができることは当業者にとって自明である。
【００６１】
また、上述した実施の形態においては、携帯電話網／携帯パケット網は株式会社エヌ・ティ・ティ・ドコモ（会社名）のＰＤＣ／ＰＤＣ―Ｐ方式等を一例に説明したが、本発明はこの場合に限定されるものではなく、他の実施の形態においては、無線方式が異なる携帯電話網／携帯パケット網等にも適用してもよい。
【００６２】
また、上述した実施の形態においては、株式会社エヌ・ティ・ティ・ドコモ（会社名）のサービス、システム方式等を一例に説明したが、本発明はこの場合に限定されるものではなく、他の実施の形態においては、同様の機能を有する他社のサービス、システム方式等に適用してもよい。
【００６３】
また、上述した表示画面は説明のための一例であって、ボタンの配置や形状や表示領域の配置および大きさ等は本発明の実施形態において示された例に限定されるものではない。
【００６４】
また、上述の実施形態では、情報閲覧側移動機３００または情報閲覧側インターネット機器４００に対する情報発信側移動機１００またはネットワーク２００の情報提供は、ウェブページ上の表示をブラウジングする技術を利用して行ったが、電子メール、その他周知の通信方法で情報を送受信してもよく、また、ユーザが保有する通信機器、例えば、電話、ＦＡＸを使用してもよく、さらに通信形態は、インターネット以外の通信方法を使用してもよい。
【００６５】
さらに、以上述べた形態以外にも種々の変形が可能である。しかしながら、その変形が特許請求の範囲に記載された技術思想に基づくものである限り、その変形は本発明の技術範囲内となる。
【００６６】
【発明の効果】
以上詳細に説明したように、本発明によれば、情報更新する際に呼を張る必要がなく、移動機がたとえ受発信圏外にあってもいつでも気軽に情報更新をできる情報発信システムおよび移動機ならびに情報発信方法を提供することができる。
【図面の簡単な説明】
【図１】本発明が適用される情報発信システムのシステム構成の一例を示す図である。
【図２】図１に示す情報発信側移動機１００の機能ブロックの一例を示す図である。
【図３】図１に示すネットワーク２００の機能ブロックの一例を示す図である。
【図４】本発明が適用される情報発信システムの通信シーケンスの一例を示す図である。
【図５】本発明の情報発信システムを用いた情報発信サービスのサービスイメージ１の概要を示す図である。
【図６】本発明の情報発信システムを用いた情報発信サービスのサービスイメージ２の概要を示す図である。
【図７】本発明の情報発信システムを用いた情報発信サービスのサービスイメージ３の概要を示す図である。
【符号の説明】
１００  情報発信側移動機
１０２  演算部
１０４  無線発信部
１０６  無線受信部
１０８  情報入力部
１１０  情報記憶部
２００  ネットワーク
２０２  ＧＲＩＭＭ
２０４  Ｍ−ＰＧＷ
２０６  交換機
２０８  基地局
２５０  ドメインネームサーバ
３００  情報閲覧側移動機
４００  情報閲覧側インターネット機器
【図１】
0003999456.tif 000002
【図２】
0003999456.tif 000003
【図３】
0003999456.tif 000004
【図４】
0003999456.tif 000005
【図５】
0003999456.tif 000006
【図６】
0003999456.tif 000007
【図７】
0003999456.tif 000008